(57)【要約】  【課題】  各ＭＩＤ毎にストラテジを用意することなく、パターン化されたディスクメーカ推奨ストラテジに基づいてレーザ光を制御できる機能を有する光ディスク記録再生装置を提供する。  【解決手段】  光ディスクが挿入されると、パラメータ読出手段は、光ディスクのランドのプリピット情報より推奨ストラテジのパラメータを読み出し、次に、パターン決定手段は、前記読み出された推奨ストラテジのパラメータよりストラテジのタイプのパターンを決定し、この後、最適ストラテジ算出手段は、前記決定されたパターンから最適ストラテジを算出する。したがって、各ＭＩＤ毎にストラテジを用意することがなくなり、ファームウェアに占めるストラテジの容量が抑止されてストラテジがスリム化し、これにより、メモリ容量も小さくて済み、装置のコストダウンも図れる。【選択図】      図７
2006331503.tif 000002
【特許請求の範囲】
【請求項１】
光ディスクに対して情報の書込み／読出しを光学的に行う光ピックアップを有し、光デ
ィスクに対して情報の記録／再生を行う光ディスク記録再生装置において、光ディスクの
ランドのプリピット情報より読み出された推奨ストラテジのパラメータを基に、書込み可
能な光ディスクでは前記光ピックアップのレーザ発光パルス幅を用いてストラテジのタイ
プをパターン化し、書換え可能な光ディスクでは前記光ピックアップの消去レーザパワー
と記録レーザパワーとのパワー比およびレーザ発光パルス幅を用いてストラテジのタイプ
をパターン化するものであり、書込み可能あるいは書換え可能な光ディスクに対して情報
を記録する際、前記光ディスクのランドのプリピット情報より推奨ストラテジのパラメー
タを読み出すパラメータ読出手段と、前記読み出したパラメータよりストラテジのタイプ
のパターンを決定するパターン決定手段と、前記決定されたパターンから最適ストラテジ
を算出する最適ストラテジ算出手段と、記録時には前記算出された最適ストラテジに基づ
いて前記光ピックアップのレーザ光を制御するレーザ制御手段とを有するシステムコント
ローラを備えたことを特徴とする光ディスク記録再生装置。
【請求項２】
光ディスクに対して情報の書込み／読出しを光学的に行う光ピックアップを有し、光デ
ィスクに対して情報の記録／再生を行う光ディスク記録再生装置において、書込み可能あ
るいは書換え可能な光ディスクのランドのプリピット情報より読み出された推奨ストラテ
ジのパラメータを基に、書込み可能な光ディスクでは前記光ピックアップのレーザ発光パ
ルス幅を用いてストラテジのタイプをパターン化し、書換え可能な光ディスクでは前記光
ピックアップの消去レーザパワーと記録レーザパワーとのパワー比およびレーザ発光パル
ス幅を用いてストラテジのタイプをパターン化するシステムコントローラを備えたことを
特徴とする光ディスク記録再生装置。
【請求項３】
前記システムコントローラは、書込み可能あるいは書換え可能な光ディスクに対して情
報を記録する際、前記光ディスクのランドのプリピット情報より推奨ストラテジのパラメ
ータを読み出すパラメータ読出手段と、前記読み出したパラメータよりストラテジのタイ
プのパターンを決定するパターン決定手段と、前記決定されたパターンから最適ストラテ
ジを算出する最適ストラテジ算出手段と、記録時には前記算出された最適ストラテジに基
づいて前記光ピックアップのレーザ光を制御するレーザ制御手段とを有することを特徴と
する請求項２に記載の光ディスク記録再生装置。
【発明の詳細な説明】
【技術分野】
【０００１】
本発明は、光ディスクに対して情報の書込み／読出しを光学的に行う光ピックアップを
有し、光ディスクに対して情報の記録／再生を行う光ディスク記録再生装置に関し、特に
、記録時に用いる光ピックアップのレーザ光の記録パルスパターンであるストラテジを得
るための処理に関する。
【背景技術】
【０００２】
近年、映画等のような大量の映像音声データなどの情報を記録することができる光ディ
スクとしてＤＶＤ（デジタル・バーサタイル・ディスク）が普及しつつある。ＤＶＤの種
類としては、メーカ側で情報が記録され、ユーザ側では書き換えができないＤＶＤ−ＲＯ
Ｍ、ユーザ側で情報を１回だけ書き込み可能なＤＶＤ−Ｒ、ユーザ側で書き換え可能なＤ
ＶＤ−ＲＷ（ＤＶＤ−ＲＡＭ）などが知られている。
【０００３】
ＤＶＤ−ＲやＤＶＤ−ＲＷの光ディスクは、情報を記録する溝からなるグループ部と、
溝と溝との間のランド部とから構成されており、ディスクメーカの推奨ストラテジなどが
ランド部に記録されている。これらの光ディスクには、ピットとランドとの組み合わせで
データが記録されるが、例えば、ＤＶＤ−Ｒの光ディスクに情報を記録する場合は、所定
のパルス幅のライトパルスによる駆動電流がレーザ駆動部から光ピックアップのレーザダ
イオードに印加され、そのレーザ光を所定の記録速度で回転する光ディスクの記録面に照
射することで行われる。この光ディスクに情報を書き込む場合、ライトストラテジと呼ば
れるレーザパルス制御が利用される。このライトストラテジには、ディスク再生時に最適
になるようにレーザパルスを制御するための情報が含まれ、記録特性に応じてライトパル
ス幅を増減させたり、タイミングを最適化させたりする情報が含まれる。
【０００４】
ところで、ＤＶＤ−Ｒなどのような書込み可能な光ディスクは様々なディスクメーカか
ら提供されている。それらの光ディスクはディスクメーカによって記録特性が異なるため
、それぞれに適したライトストラテジで書き込みを行う必要がある。従来の光ディスク記
録再生装置では、予め各種ディスクのライトテストを行って、各ディスク毎に最適なスト
ラテジを調べ、光ディスク毎のＭＩＤ（Manufacture ID）と、それに適したライトストラ
テジのデータを対応付けてファームウェア内に格納する。このファームウェアは、光ディ
スクがローディングされた際にＭＩＤを読み込み、このＭＩＤと対応付けられるライトス
トラテジのデータに基づきデータの記録制御を行っている。
【特許文献１】特開２００２−２８８８２７号公報
【特許文献２】特開２００４−１９２７０７号公報
【特許文献３】特開２００４−３０３３１７号公報
【発明の開示】
【発明が解決しようとする課題】
【０００５】
しかしながら、従来の光ディスク記録再生装置では、前述したように各ＭＩＤ毎にスト
ラテジを用意しているので、ファームウェアに占めるストラテジの容量が増加し、これに
より、メモリも容量の大きなものを使用しなければならず、この結果、コストアップする
という課題が生じる。
【０００６】
なお、特許文献１の従来技術では、ディスクベンダ毎に最も適したライトストラテジを
ＥＥＰＲＯＭに記憶しておき、挿入された光ディスクの種類を判別し、その光ディスクに
適したライトストラテジを読み出し、そのライトストラテジに書き込みを行うようにして
いるが、ディスクベンダ毎に最も適したライトストラテジをＥＥＰＲＯＭに記憶している
ので、ＥＥＰＲＯＭはメモリ容量が大きなものが必要となり、コストアップするという課
題が生じる。
【０００７】
特許文献２の従来技術では、光ディスク装置とホストコンピュータをインタフェースを
介して接続し、ホストコンピュータにディスクベンダ毎にライトストラテジ情報を記憶し
、このライトストラテジ情報を光ディスク装置へ送信し、光ディスク装置は受信したライ
トストラテジ情報に従って光ディスクへのデータの書き込みを行うようにしているが、こ
の従来技術は、ホストコンピュータにライトストラテジ情報を記憶させているので、本件
でいう光ディスク記録再生装置側にライトストラテジ情報を予め記憶している構成のもの
ではない。
【０００８】
特許文献３の従来技術では、光ディスクから読み取られたパルスストラテジ推奨値を修
正し、この修正されたパルスストラテジ推奨値に基づき、光ディスクへの情報の書き込み
を行うようにしているが、ＭＩＤの個数が増えるに従ってパルスストラテジ推奨値を修正
する処理が複雑化していき、ＭＩＤが増加した場合には対応が難しくなる傾向にある。
【０００９】
本発明は、上記のような課題を解決するためになされたもので、各ＭＩＤ毎にストラテ
ジを用意することなく、パターン化されたディスクメーカ推奨ストラテジに基づいてレー
ザ光を制御できる機能を有する光ディスク記録再生装置を提供することを目的とする。
【課題を解決するための手段】
【００１０】
上記目的を達成するために、請求項１の発明は、光ディスクのランドのプリピット情報
より読み出された推奨ストラテジのパラメータを基に、書込み可能な光ディスクでは光ピ
ックアップのレーザ発光パルス幅を用いてストラテジのタイプをパターン化し、書換え可
能な光ディスクでは光ピックアップの消去レーザパワーと記録レーザパワーとのパワー比
およびレーザ発光パルス幅を用いてストラテジのタイプをパターン化するものであり、書
込み可能あるいは書換え可能な光ディスクに対して情報を記録する際、前記光ディスクの
ランドのプリピット情報より推奨ストラテジのパラメータを読み出すパラメータ読出手段
と、前記読み出したパラメータよりストラテジのタイプのパターンを決定するパターン決
定手段と、前記決定されたパターンから最適ストラテジを算出する最適ストラテジ算出手
段と、記録時には前記算出された最適ストラテジに基づいて前記光ピックアップのレーザ
光を制御するレーザ制御手段とを有するシステムコントローラを備えたことを特徴とする
光ディスク記録再生装置を提供する。
【００１１】
この構成において、光ディスクのランドのプリピット情報より読み出された推奨ストラ
テジのパラメータを基に、書込み可能な光ディスクでは、光ピックアップのレーザ発光パ
ルス幅を用いてストラテジのタイプがパターン化され、書換え可能な光ディスクでは、光
ピックアップの消去レーザパワーと記録レーザパワーとのパワー比およびレーザ発光パル
ス幅を用いてストラテジのタイプがパターン化されるようになっている。
【００１２】
光ディスクが挿入されると、パラメータ読出手段は、光ディスクのランドのプリピット
情報より推奨ストラテジのパラメータを読み出し、次に、パターン決定手段は、前記読み
出された推奨ストラテジのパラメータよりストラテジのタイプのパターンを決定し、この
後、最適ストラテジ算出手段は、前記決定されたパターンから最適ストラテジを算出する
。
【００１３】
この構成によれば、各ＭＩＤ毎にストラテジを用意することなく、パターン化されたデ
ィスクメーカ推奨ストラテジに基づいてレーザ光を制御できるようになるので、ファーム
ウェアに占めるストラテジの容量が抑止されてストラテジがスリム化し、これにより、メ
モリ容量も小さくて済み、装置のコストダウンも図れる。
【００１４】
請求項２の発明は、書込み可能あるいは書換え可能な光ディスクのランドのプリピット
情報より読み出された推奨ストラテジのパラメータを基に、書込み可能な光ディスクでは
光ピックアップのレーザ発光パルス幅を用いてストラテジのタイプをパターン化し、書換
え可能な光ディスクでは光ピックアップの消去レーザパワーと記録レーザパワーとのパワ
ー比およびレーザ発光パルス幅を用いてストラテジのタイプをパターン化するシステムコ
ントローラを備えたことを特徴とする光ディスク記録再生装置を提供する。
【００１５】
この構成において、光ディスクのランドのプリピット情報より読み出された推奨ストラ
テジのパラメータを基に、書込み可能な光ディスクでは、光ピックアップのレーザ発光パ
ルス幅を用いてストラテジのタイプがパターン化され、書換え可能な光ディスクでは、光
ピックアップの消去レーザパワーと記録レーザパワーとのパワー比およびレーザ発光パル
ス幅を用いてストラテジのタイプがパターン化される。
【００１６】
この構成によれば、各ＭＩＤ毎にストラテジを用意することなく、パターン化されたデ
ィスクメーカ推奨ストラテジに基づいてレーザ光を制御できるようになるので、ファーム
ウェアに占めるストラテジの容量が抑止されてストラテジがスリム化し、これにより、メ
モリ容量も小さくて済み、装置のコストダウンも図れる。
【００１７】
請求項３の発明では、請求項２の発明において、前記システムコントローラは、書込み
可能あるいは書換え可能な光ディスクに対して情報を記録する際、前記光ディスクのラン
ドのプリピット情報より推奨ストラテジのパラメータを読み出すパラメータ読出手段と、
前記読み出したパラメータよりストラテジのタイプのパターンを決定するパターン決定手
段と、前記決定されたパターンから最適ストラテジを算出する最適ストラテジ算出手段と
、記録時には前記算出された最適ストラテジに基づいて前記光ピックアップのレーザ光を
制御するレーザ制御手段とを有するので、書込み可能あるいは書換え可能な光ディスクに
対して情報を記録する際、最適ストラテジに基づいて光ピックアップのレーザ光を制御す
ることが可能になる。
【発明の効果】
【００１８】
以上のように本発明によれば、光ディスクのランドのプリピット情報より読み出された
推奨ストラテジのパラメータを基に、書込み可能な光ディスクでは光ピックアップのレー
ザ発光パルス幅を用いてストラテジのタイプをパターン化し、書換え可能な光ディスクで
は光ピックアップの消去レーザパワーと記録レーザパワーとのパワー比およびレーザ発光
パルス幅を用いてストラテジのタイプをパターン化するものであり、書込み可能あるいは
書換え可能な光ディスクに対して情報を記録する際、前記光ディスクのランドのプリピッ
ト情報より推奨ストラテジのパラメータを読み出すパラメータ読出手段と、前記読み出し
たパラメータよりストラテジのタイプのパターンを決定するパターン決定手段と、前記決
定されたパターンから最適ストラテジを算出する最適ストラテジ算出手段と、記録時には
前記算出された最適ストラテジに基づいて前記光ピックアップのレーザ光を制御するレー
ザ制御手段とを有するシステムコントローラを備えたので、各ＭＩＤ毎にストラテジを用
意することなく、パターン化されたディスクメーカ推奨ストラテジに基づいてレーザ光を
制御できるようになり、これにより、ファームウェアに占めるストラテジの容量が抑止さ
れてストラテジがスリム化し、この結果、メモリ容量も小さくて済み、装置のコストダウ
ンも図れる。
【００１９】
請求項２の発明は、書込み可能あるいは書換え可能な光ディスクのランドのプリピット
情報より読み出された推奨ストラテジのパラメータを基に、書込み可能な光ディスクでは
光ピックアップのレーザ発光パルス幅を用いてストラテジのタイプをパターン化し、書換
え可能な光ディスクでは光ピックアップの消去レーザパワーと記録レーザパワーとのパワ
ー比およびレーザ発光パルス幅を用いてストラテジのタイプをパターン化するシステムコ
ントローラを備えたので、各ＭＩＤ毎にストラテジを用意することなく、パターン化され
たディスクメーカ推奨ストラテジに基づいてレーザ光を制御できるようになり、これによ
り、ファームウェアに占めるストラテジの容量が抑止されてストラテジがスリム化し、こ
の結果、メモリ容量も小さくて済み、装置のコストダウンも図れる。
【発明を実施するための最良の形態】
【００２０】
現在市場にはＤＶＤ−ＲやＤＶＤ−ＲＷの光ディスクだけでも１００ＭＩＤ以上のメデ
ィアがあり、今後も高速メディアの需要が高まるにつれ、ＭＩＤ数も増えると考えられる
。現在のＭＩＤ対応方式では、ＭＩＤ数が増えるにつれ、ストラテジ数も増えるため、フ
ァームウェアにおけるストラテジの容量が増す一方である。そこで、本発明の一実施形態
では、ＭＩＤ毎ではなく、光ディスクのＬＰＰ（ランドのプリピット）データ内のディス
クメーカ推奨ストラテジのパラメータを基に、ＤＶＤ−Ｒの光ディスクではレーザ発光パ
ルス幅を用いてストラテジのタイプをパターン化し、ＤＶＤ−ＲＷの光ディスクでは消去
レーザパワーと記録レーザパワーとのパワー比およびレーザ発光パルス幅を用いてストラ
テジのタイプをパターン化する方式を提案する。
【００２１】
以下、添付図面を参照しつつ、本発明の実施の形態について説明する。図１は本発明の
一実施形態に係る光ディスク記録再生装置の構成を示すブロック図である。
【００２２】
この光ディスク記録再生装置は、光ディスク１を回転させるスピンドルモータ５と、光
ディスク１に対して情報の記録／再生を行うためのレーザ光を出射すると共に光ディスク
１からの反射光を受光する光ピックアップ２と、この光ピックアップ２を光ディスク１の
半径方向に移動させるためのスレッド３と、システムコントローラ２２の指示に応じてス
ピンドルモータ５およびスレッド３を駆動すると共に光ピックアップ２に内蔵された対物
レンズ（図示せず）を動かすことによりレーザ光の焦点位置を光ディスク１の記録面に対
して垂直方向および水平方向に移動させる制御を行うサーボ制御部４と、光ピックアップ
２のレーザダイオード（図示せず）を駆動させるレーザ駆動部２８とを備えている。
【００２３】
また、この光ディスク記録再生装置は、光ディスク１の再生時に光ピックアップ２から
の読取信号であるＲＦ信号を増幅するＲＦアンプ６と、このＲＦアンプ６から出力された
ＲＦ信号をデジタルデータに変換した後に光ディスク１のデータフォーマットに応じた信
号復調処理とＥＣＣエラー訂正処理を行って生成したデータをＲＡＭ７に格納するデジタ
ル信号処理部８と、システムコントローラ２２の指示に応じてデジタル信号処理部８から
出力されたデータストリームの中からオーディオデータとサブピクチャデータとビデオデ
ータとを分離するストリーム分離部９とを備えている。
【００２４】
また、この光ディスク記録再生装置は、ストリーム分離部９から出力されたオーディオ
データを入力して所定のデコード処理を行うオーディオデコーダ１１と、このオーディオ
デコーダ１１でのデコード処理を行うためにデータを一時的に格納するＲＡＭ１０と、ス
トリーム分離部９から出力されたサブピクチャデータを入力して所定のデコード処理を行
うサブピクチャデコーダ１３と、このサブピクチャデコーダ１３でのデコード処理を行う
ためにデータを一時的に格納するＲＡＭ１２と、ストリーム分離部９から出力されたビデ
オデータを入力して所定のデコード処理を行うビデオデコーダ１５と、このビデオデコー
ダ１５でのデコード処理を行うためにデータを一時的に格納するＲＡＭ１４とを備えてい
る。
【００２５】
また、この光ディスク記録再生装置は、システムコントローラ２２の指示に応じてビデ
オデコーダ１５から出力されたデータとサブピクチャデコーダ１３から出力されたデータ
とを合成するビデオプロセッサ１７と、このビデオプロセッサ１７から出力された合成デ
ータを表示用のビデオ信号に変換して画像をディスプレイ装置２０に表示させるビデオエ
ンコーダ１８と、オーディオデコーダ１１から出力されたデータをアナログのオーディオ
信号に変換して例えばスピーカ１９に供給するＤ／Ａ変換器１６とを備えている。
【００２６】
また、この光ディスク記録再生装置は、システムコントローラ２２に対して赤外線信号
により、再生指示を与えるための再生キー、再生停止を指示するための停止キー、記録指
示を与えるための記録キー、電源キーなどの各種操作キーを有するリモコン２１と、装置
全体を制御する前記システムコントローラ２２とを備えている。また、この光ディスク記
録再生装置は、装置の各構成要素を制御したり、装置全体を制御したりするためのプログ
ラムやデータが記憶されたフラッシュＲＯＭ２３と、このフラッシュＲＯＭ２３のプログ
ラムやデータに従って演算処理を行いシステムコントローラ２２を制御するＣＰＵ２４と
、このＣＰＵ２４の処理に必要なデータを一時的に格納するＲＡＭ２７とを備えている。
【００２７】
また、この光ディスク記録再生装置は、図示しないテレビジョン受信機やパーソナルコ
ンピュータなどから送られてきた映像音声データを光ディスク１に記録するために変調を
かける記録データ変調回路２５と、この記録データ変調回路２５により変調された変調デ
ータに基づいて光ピックアップ２から出射するレーザ光を変調させるためのレーザ変調信
号をレーザ駆動部２８を介して光ピックアップ２に出力するレーザ変調回路２６とを備え
ている。
【００２８】
特に、本実施形態におけるシステムコントローラ２２は、光ディスクのランドのプリピ
ット情報より読み出された推奨ストラテジのパラメータを基に、書込み可能な光ディスク
では光ピックアップ２のレーザ発光パルス幅を用いてストラテジのタイプをパターン化し
、書換え可能な光ディスクでは光ピックアップ２の消去レーザパワーと記録レーザパワー
とのパワー比およびレーザ発光パルス幅を用いてストラテジのタイプをパターン化する。
但し、ここでの推奨ストラテジのパラメータはタイプを区別するのみで、パターン化した
ストラテジについては予め用意しておき、例えば、フラッシュＲＯＭ２３に記憶させてお
く。
【００２９】
そして、システムコントローラ２２は、書込み可能あるいは書換え可能な光ディスクに
対して情報を記録する際、光ディスクのランドのプリピット情報より推奨ストラテジのパ
ラメータを読み出すパラメータ読出手段２２１と、前記読み出したパラメータよりストラ
テジのタイプのパターンを決定するパターン決定手段２２２と、前記決定されたパターン
から最適ストラテジを算出する最適ストラテジ算出手段２２３と、記録時には前記算出さ
れた最適ストラテジに基づいて光ピックアップ５のレーザ光を制御するレーザ制御手段２
２４とを有する。
【００３０】
図２は光ディスクのＬＰＰ（ランドプリピット）情報より読み出された推奨ストラテジ
のパラメータを説明するためのフィールドＩＤ（識別子）とディスク情報との関係の一例
を示す図である。
【００３１】
図２において、例えば、フィールドＩＤ３，４のディスク情報はＭＩＤを示し、フィー
ルドＩＤ２，５のディスク情報は１ｘ（１倍速）の推奨ストラテジを示す。フィールドＩ
Ｄ６，７のディスク情報は２ｘ（２倍速）の推奨ストラテジを示し、フィールドＩＤ８，
９，１０のディスク情報は４ｘ（４倍速）のノンマルチ（Ｎｏｎ―Ｍｕｌｔｉ）の推奨ス
トラテジを示し、フィールドＩＤ１１，１２，１３のディスク情報は４ｘ（４倍速）の推
奨ストラテジを示す。
【００３２】
図３は図２中のフィールドＩＤ３，４のディスク情報のＭＩＤをパターン化されたパラ
メータの内容の一例を示す図である。
【００３３】
図３に示すＭＩＤにおいて、βは、ＯＰＣ（レーザ光出力制御）に用いられる数値、即
ち、記録する際の光ピックアップの最適レーザパワーを決定するときに用いる目安の数値
を示し、光ディスクのテスト領域を使ってテスト書込みをして決定する数値である。例え
ば、ＤＶＤ−Ｒの光ディスクの場合、ストラテジのパルスは、１個の幅の広いパルスと１
個以上の幅の狭いパルスとから構成され、その幅の広いパルスが先頭パルスＴｔｏｐであ
り、その幅の狭いパルスがマルチパルスＴｍｐである。Ｐｗは、レーザパワーの中心とな
るレーザパワーを示す。
【００３４】
また、図３に示すＭＩＤにおいて、３Ｔｄｔｐは、記録データのマーク長が３Ｔになっ
たときに先頭パルスＴｔｏｐのパルス幅の値から引く値を示し、４Ｔｄｔｐは、記録デー
タのマーク長が４Ｔになったときに先頭パルスＴｔｏｐのパルス幅の値から引く値を示す
。５Ｔｄｔｐは、記録データのマーク長が５Ｔになったときに先頭パルスＴｔｏｐのパル
ス幅の値から引く値を示し、６Ｔｄｔｐは、記録データのマーク長が６Ｔになったときに
先頭パルスＴｔｏｐのパルス幅の値から引く値を示す。記録データはマークとスペースと
の組み合わせで構成され、３−３Ｔｌｄは、３Ｔスペース後の３Ｔマークを示す。Ｔｌｄ
は、先頭パルスＴｔｏｐを微調整するパラメータである。
【００３５】
図４はＬＰＰデータ内のディスクメーカ推奨ストラテジのパラメータの一例を示す図で
ある。ＤＶＤ−Ｒの光ディスクにおいて、βは「０．０５」、Ｐｗは「１３．０」、Ｔｔ
ｏｐは「１．５５」、３Ｔｄｔｐは「−０．１０」、４Ｔｄｔｐは「−０．１０」、５Ｔ
ｄｔｐは「−０．１０」、６Ｔｄｔｐは「−０．１０」、Ｔｍｐは「０．６５」、３−３
Ｔｌｄは「−０．０５」であることをそれぞれ示す。
【００３６】
ＤＶＤ−ＲＷの光ディスクにおいて、Ｐｗは「１４」、Ｐｅ／Ｐｗは「０．５２」、Ｔ
ｔｏｐは「０．３５」、Ｔｍｐは「０．４」、Ｔｃｌは「０．５５」をそれぞれ示す。な
お、Ｐｅ／Ｐｗは、光ピックアップの消去レーザパワー（Ｐｅ）と記録レーザパワー（Ｐ
ｗ）とのパワー比を示し、Ｔｃｌは、冷却用のクーリングパルスを示す。図５には、ＤＶ
Ｄ−ＲＷの光ディスクにおけるＰｗ、Ｐｅ、Ｔｔｏｐ、Ｔｍｐ、Ｔｃｌの関係を説明する
ための信号波形図が示されている。
【００３７】
図６は、記録データが３Ｔマークであるときの先頭パルスＴｔｏｐ５１、記録データが
４Ｔマークであるときの先頭パルスＴｔｏｐ５１およびマルチパルスＴｍｐ５２、記録デ
ータが５Ｔマークであるときの先頭パルスＴｔｏｐ５１および２個のマルチパルスＴｍｐ
５２、記録データが６Ｔマークであるときの先頭パルスＴｔｏｐ５１および３個のマルチ
パルスＴｍｐ５２をそれぞれ示す。なお、１Ｔは例えば３７．２５ｎｓである。先頭パル
スＴｔｏｐ５１は、１．５５−０．１０＝１．４５によりパルス幅は１．４５になってい
る。また、マルチパルスＴｍｐ５２はパルス幅が０．６５になっている。
【００３８】
図７は本実施形態において記録開始までの処理を説明するためのフローチャートである
。このフローチャートおよび図１〜図６を参照して記録開始までの処理について説明する
。
【００３９】
先ず、ユーザが光ディスク１を光ディスク記録再生装置に挿入すると、システムコント
ローラ２２は光ディスク１の挿入を検出する（ステップＳ１）。そして、システムコント
ローラ２２のパラメータ読出手段２２１は、光ディスク１のＬＰＰ情報（ランドのプリピ
ット情報）より推奨ストラテジのパラメータを読み出す（ステップＳ２）。詳しくは、回
転した光ディスク１からＲＦ信号が、光ピックアップ２により読み取られ、ＲＦアンプ６
で増幅されてシステムコントローラ２２に入力され、パラメータ読出手段２２１により、
ＲＦ信号の中からＬＰＰ情報が検出され、このＬＰＰ情報よりディスクメーカが推奨する
ストラテジのパラメータが読み出される。
【００４０】
次に、システムコントローラ２２のパターン決定手段２２２は、パラメータ読出手段２
２１により読み出された推奨ストラテジのパラメータ（例えば図２に示すようなパラメー
タ）よりストラテジのタイプのパターン（例えば図３に示すようなパターン）を決定する
（ステップＳ３）。この後、システムコントローラ２２の最適ストラテジ算出手段２２３
は、パターン決定手段２２２により決定されたパターンから最適ストラテジ（例えば、図
４に示すようなディスクメーカ推奨パラメータ）を算出する（ステップＳ４）。
【００４１】
即ち、最適ストラテジ算出手段２２３は、光ディスク１がＤＶＤ−Ｒであれば、例えば
、β「０．０５」、Ｐｗ「１３．０」、Ｔｔｏｐ「１．５５」、３Ｔｄｔｐ「−０．１０
」、４Ｔｄｔｐ「−０．１０」、５Ｔｄｔｐ「−０．１０」、６Ｔｄｔｐ「−０．１０」
、Ｔｍｐ「０．６５」、３−３Ｔｌｄ「−０．０５」をそれぞれ算出する。また、光ディ
スク１がＤＶＤ−ＲＷであれば、Ｐｗ「１４」、Ｐｅ／Ｐｗ「０．５２」、Ｔｔｏｐ「０
．３５」、Ｔｍｐ「０．４」、Ｔｃｌ「０．５５」をそれぞれ算出する。
【００４２】
そして、光ディスク１に対して情報の記録が開始すると（ステップＳ５）、システムコ
ントローラ２２のレーザ制御手段２２４は、前記算出された最適ストラテジに基づいてレ
ーザ駆動部２８を駆動させ、光ピックアップ２のレーザ光を制御して、光ディスク１への
情報の書込みを行う。
【００４３】
光ディスク１がＤＶＤ−Ｒであれば、レーザ駆動部２８は、例えば、β「０．０５」、
Ｐｗ「１３．０」、Ｔｔｏｐ「１．５５」、３Ｔｄｔｐ「−０．１０」、４Ｔｄｔｐ「−
０．１０」、５Ｔｄｔｐ「−０．１０」、６Ｔｄｔｐ「−０．１０」、Ｔｍｐ「０．６５
」、３−３Ｔｌｄ「−０．０５」に基づいて、光ピックアップ２のレーザダイオード（図
示せず）を駆動させ、このレーザ光により光ディスク１への情報の書込みを行う。
【００４４】
また、光ディスク１がＤＶＤ−ＲＷであれば、レーザ駆動部２８は、例えば、Ｐｗ「１
４」、Ｐｅ／Ｐｗ「０．５２」、Ｔｔｏｐ「０．３５」、Ｔｍｐ「０．４」、Ｔｃｌ「０
．５５」に基づいて、光ピックアップ２のレーザダイオード（図示せず）を駆動させ、こ
のレーザ光により光ディスク１への情報の書込みを行う。
【００４５】
以上説明したように本実施形態によれば、各ＭＩＤ毎にストラテジを用意することなく
、パターン化されたディスクメーカ推奨ストラテジに基づいてレーザ光を制御できるよう
になるので、ファームウェアに占めるストラテジの容量が抑止されてストラテジがスリム
化し、これにより、メモリ容量も小さくて済み、装置のコストダウンも図れる。例えば、
ＤＶＤ−Ｒの光ディスクでは、１０５個のＭＩＤ（従来では１０５個のＭＩＤ毎のストラ
テジ）に対して４５個のパターンのストラテジで済み、ＤＶＤ−ＲＷの光ディスクでは、
３５個のＭＩＤ（従来では３５個のＭＩＤ毎のストラテジ）に対して２６個のパターンの
ストラテジで済む。
【図面の簡単な説明】
【００４６】
【図１】本発明の一実施形態に係る光ディスク記録再生装置の構成を示すブロック図である。
【図２】光ディスクのＬＰＰ（ランドプリピット）情報より読み出された推奨ストラテジのパラメータを説明するためのフィールドＩＤ（識別子）とディスク情報との関係の一例を示す図である。
【図３】図２中のフィールドＩＤ３，４のディスク情報のＭＩＤをパターン化されたパラメータの内容の一例を示す図である。
【図４】ＬＰＰデータ内のディスクメーカ推奨ストラテジのパラメータの一例を示す図である。
【図５】ＤＶＤ−ＲＷの光ディスクにおけるＰｗ、Ｐｅ、Ｔｔｏｐ、Ｔｍｐ、Ｔｃｌの関係を説明するための信号波形図である。
【図６】記録データが３Ｔマークであるときの先頭パルスＴｔｏｐ５１、記録データが４Ｔマークであるときの先頭パルスＴｔｏｐ５１およびマルチパルス５２、記録データが５Ｔマークであるときの先頭パルスＴｔｏｐ５１および２個のマルチパルス５２、記録データが６Ｔマークであるときの先頭パルスＴｔｏｐ５１および３個のマルチパルス５２をそれぞれ示す信号波形図である。
【図７】前記実施形態において記録開始までの処理を説明するためのフローチャートである。
【符号の説明】
【００４７】
１    光ディスク
２    光ピックアップ
２２    システムコントローラ
２２１    パラメータ読出手段
２２２    パターン決定手段
２２３    最適ストラテジ算出手段
２２４    レーザ制御手段
【図１】
2006331503.tif 000003
【図２】
2006331503.tif 000004
【図３】
2006331503.tif 000005
【図４】
2006331503.tif 000006
【図５】
2006331503.tif 000007
【図６】
2006331503.tif 000008
【図７】
2006331503.tif 000009